(57)【要約】【課題】著作権を保護しながら、コンテンツを携帯情報端末と外部機器とを連携させたシステム上で実行する。【解決手段】  外部機器（2）は、携帯情報端末（1）からコンテンツデータの実行要求と、利用条件情報と、を受け付けた場合に、利用条件情報内のアドレスに該当するコンテンツサーバ（4）と通信し、利用条件情報内のコンテンツIDで識別できるコンテンツデータをコンテンツサーバ（4）から取得し、該取得したコンテンツデータを実行する。【選択図】図１
2008251007.tif 000002
【特許請求の範囲】
【請求項１】
携帯情報端末と、外部機器と、コンテンツ所有手段と、を有するコンテンツ実行システムであって、
前記コンテンツ所有手段は、
コンテンツデータと、前記コンテンツデータを実行する際に必要なチケット付きコンテンツデータと、を所有し、
前記コンテンツデータは、前記コンテンツデータを特定するためのコンテンツIDと関連付けて所有し、
前記チケットは、当該チケットで実行可能なコンテンツデータを特定するためのコンテンツIDと、前記コンテンツ所有手段を特定するためのアドレスと、を少なくとも含んで構成し、
前記携帯情報端末は、
前記チケット付きコンテンツデータを獲得する獲得手段と、
前記獲得手段で獲得した前記チケット付きコンテンツデータを、前記チケットと、コンテンツデータと、に分離する分離手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求手段と、
を有し、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段を有することを特徴とするコンテンツ実行システム。
【請求項２】
携帯情報端末と、外部機器と、コンテンツ所有手段と、チケット保持手段と、を有するコンテンツ実行システムであって、
前記コンテンツ所有手段は、
コンテンツデータと、前記コンテンツデータを特定するためのコンテンツIDと、を関連付けて管理し、
前記チケット保持手段は、
前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成し、
前記携帯情報端末は、
前記チケットを獲得するチケット獲得手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求手段と、
を有し、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段と、
前記コンテンツ実行手段により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止手段と、
を有することを特徴とするコンテンツ実行システム。
【請求項３】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末であって、
前記コンテンツ所有手段から前記チケット付きコンテンツデータを獲得する獲得手段と、
前記獲得手段で獲得した前記チケット付きコンテンツデータを、前記チケットと、コンテンツデータと、に分離する分離手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求手段と、
を有することを特徴とする携帯情報端末。
【請求項４】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末であって、
前記チケット保持手段から前記チケットを獲得するチケット獲得手段と、
前記チケット獲得手段で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求手段と、
前記コンテンツ実行要求手段により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信手段と、
を有することを特徴とする携帯情報端末。
【請求項５】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器であって、
前記携帯情報端末が前記コンテンツ所有手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段を有することを特徴とする外部機器。
【請求項６】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器であって、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段と、
前記コンテンツ実行手段により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止手段と、
を有することを特徴とする外部機器。
【請求項７】
携帯情報端末と、外部機器と、コンテンツ所有手段と、を有するコンテンツ実行システムで行うコンテンツ実行方法であって、
前記コンテンツ所有手段は、
コンテンツデータと、前記コンテンツデータを実行する際に必要なチケット付きコンテンツデータと、を所有し、
前記コンテンツデータは、前記コンテンツデータを特定するためのコンテンツIDと関連付けて所有し、
前記チケットは、当該チケットで実行可能なコンテンツデータを特定するためのコンテンツIDと、前記コンテンツ所有手段を特定するためのアドレスと、を少なくとも含んで構成し、
前記携帯情報端末は、
前記チケット付きコンテンツデータを獲得する獲得工程と、
前記獲得工程で獲得した前記チケット付きコンテンツデータを、前記チケットと、コンテンツデータと、に分離する分離工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求工程と、を行い、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程を行うことを特徴とするコンテンツ実行方法。
【請求項８】
携帯情報端末と、外部機器と、コンテンツ所有手段と、チケット保持手段と、を有するコンテンツ実行システムで行うコンテンツ実行方法であって、
前記コンテンツ所有手段は、
コンテンツデータと、前記コンテンツデータを特定するためのコンテンツIDと、を関連付けて管理し、
前記チケット保持手段は、
前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成し、
前記携帯情報端末は、
前記チケットを獲得するチケット獲得工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求工程と、を行い、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程と、
前記コンテンツ実行工程により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止工程と、
を行うことを特徴とするコンテンツ実行方法。
【請求項９】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末で行うコンテンツ実行方法であって、
前記携帯情報端末は、
前記コンテンツ所有手段から前記チケット付きコンテンツデータを獲得する獲得工程と、
前記獲得工程で獲得した前記チケット付きコンテンツデータを、前記チケットと、コンテンツデータと、に分離する分離工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求工程と、
を行うことを特徴とするコンテンツ実行方法。
【請求項１０】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末で行うコンテンツ実行方法であって、
前記携帯情報端末は、
前記チケット保持手段から前記チケットを獲得するチケット獲得工程と、
前記チケット獲得工程で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求工程と、
前記コンテンツ実行要求工程により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信工程と、
を行うことを特徴とするコンテンツ実行方法。
【請求項１１】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器で行うコンテンツ実行方法であって、
前記外部機器は、
前記携帯情報端末が前記チケット保持手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程を行うことを特徴とするコンテンツ実行方法。
【請求項１２】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器で行うコンテンツ実行方法であって、
前記外部機器は、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程と、
前記コンテンツ実行工程により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止工程と、
を行うことを特徴とするコンテンツ実行方法。
【請求項１３】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末に実行させるコンテンツ実行プログラムであって、
前記携帯情報端末に、
前記コンテンツ所有手段から前記チケット付きコンテンツデータを獲得する獲得処理と、
前記獲得処理で獲得した前記チケット付きコンテンツデータを、前記チケットと、コンテンツデータと、に分離する分離処理と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求処理と、
を実行させることを特徴とするコンテンツ実行プログラム。
【請求項１４】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末に実行させるコンテンツ実行プログラムであって、
前記携帯情報端末に、
前記チケット保持手段から前記チケットを獲得するチケット獲得処理と、
前記チケット獲得処理で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求処理と、
前記コンテンツ実行要求処理により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信処理と、
を実行させることを特徴とするコンテンツ実行プログラム。
【請求項１５】
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器に実行させるコンテンツ実行プログラムであって、
前記外部機器に、
前記携帯情報端末が前記チケット保持手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行処理を実行させることを特徴とするコンテンツ実行プログラム。
【請求項１６】
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器に実行させるコンテンツ実行プログラムであって、
前記外部機器に、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行処理と、
前記コンテンツ実行処理により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止処理と、
を実行させることを特徴とするコンテンツ実行プログラム。
【発明の詳細な説明】
【技術分野】
【０００１】
本発明は、携帯情報端末を用いてコンテンツの使用権を獲得し、コンテンツの実行は該携帯情報端末と通信可能な外部機器にて行うコンテンツ実行システム、携帯情報端末、外部機器、コンテンツ実行方法及びプログラムに関する。
【背景技術】
【０００２】
携帯電話などに代表される携帯情報端末では、コンテンツをダウンロードしてそのコンテンツを実行することが可能となっている。しかし、著作権、利用権保護のため、ダウンロードしたコンテンツはその携帯情報端末の外には持ち出せない仕様になっている。
【０００３】
マルチメディアコンテンツでは、表示画面の小さい携帯情報端末ではコンテンツを十分に楽しむことができない場合もある。屋外あるいは、移動中の場合は、携帯情報端末上でのコンテンツを実行することは有効であると考えられるが、リッチな外部機器が存在する環境では、携帯情報端末で実行されるコンテンツをより高画質、高音質で楽しみたい。ただし、コンテンツプロバイダの立場では、コンテンツの利用は、そのチケットを購入／獲得した利用者が存在する場合に限定したい。
【０００４】
デジタルコンテンツの著作権を保護する技術としてはＤＲＭ（Digital Rights Management ）が知られている。コンテンツの獲得は自由だが、ライセンスサーバからライセンスを得ないとコンテンツの利用ができない、という形で著作権の保護を図っている。
【０００５】
以下文献を挙げる。
従来のシステムの一例として特許文献１がある。
これは、地図情報出力方法及び携帯電話機において、地図情報を外部の大きな表示装置に表示させる等により、ヒューマン・インターフェースを向上させることを目的としている。
【０００６】
この従来システムでは、外部機器となる大画面を持つ表示装置を使用しているが、コンテンツを制御する利用条件等は考慮されていない。また、携帯電話を介してのネットワーク上のサーバのみからのデータを受信することになり、受信するデータサイズが大きい場合、また、複数の利用者が一度に利用する場合は、負荷が増大すると考えられる。
【０００７】
また、従来のシステムの一例として、特許文献２がある。
この従来システムでは、携帯電話機は、装着されたメモリカードに記憶された音楽データを再生でき、再生された音楽データがコネクタを介して音楽出力装置に与えられ、音楽データはスピーカから出力される。
【０００８】
しかし、メモリカードは、限られた記憶容量しか持たず、高音質、高画質な長時間データの扱いは不可能であると考えられる。また、携帯電話上で処理可能なデータを音楽出力装置に与えることになり、必ずしも高音質、高画質なデータではない。また、メモリカード内のデータを再生する為、ストリーミングデータには対応できない。
【０００９】
この従来のシステムの一例として、特許文献３がある。
この従来システムでは、コンテンツ購入後、コンテンツ付加情報アドレスから画像や歌詞をダウンロードするというシステムであり、記憶容量の小さい外部機器のコンテンツをダウンロードする場合、付加情報のデータ量を少なくして、効率良くコンテンツをダウンロードすることができるようにするものである。
【００１０】
しかし、記憶容量の小さいデバイス外部機器では、高音質、高画質なデータは大容量データとなり、扱えない。
【００１１】
また、従来のシステムの一例として、特許文献４がある。
この従来システムでは、コンテンツ利用のライセンスの出力回数を得ることにより、任意の装置（外部機器）でコンテンツを簡単に利用できるようにするものである。
【００１２】
しかし、ライセンスを取得した利用者あるいはライセンスを最初に獲得した機器が存在しなくても、他の任意の装置上でコンテンツの実行が可能となる。つまり、ライセンスを取得した利用者でない人がコンテンツ実行を行うことが可能となってしまう。更に、利用可能な出力回数分だけ、同時に他の場所で、ライセンスを取得した以外の人がコンテンツ実行を行うことが可能となる。
特許文献４と同様のシステムとして、コンテンツの利用量を制限するもの（特許文献５）もある。
【特許文献１】特開２００１−８２５４号公報
【特許文献２】特開２００１−２８５４１７号公報
【特許文献３】特開２００２−３１１９６２号公報
【特許文献４】特開２００２−２９７８１６号公報
【特許文献５】特開２００１−２５８００８号公報
【発明の開示】
【発明が解決しようとする課題】
【００１３】
以上のように従来のシステムでは、負荷が増大すること、データ再生用ハードウェアの性能を生かせないこと、ストリーミング再生に対応しないこと、ライセンス取得者とコンテンツ実行者とが一致しないことなどの問題点が挙げられる。
【００１４】
本発明は、上記事情に鑑みてなされたものであり、コンテンツを実行する際、携帯情報端末に利用権を持たせ、その携帯情報端末から、よりリッチな機能を持つ外部機器に利用権の情報を送信した後、その外部機器上でコンテンツの実行を行うことで、これらの問題を解決することを目的とする。
【課題を解決するための手段】
【００１５】
上記課題を解決するために、本発明は、以下の特徴を有することとする。
【００１６】
＜コンテンツ実行システム＞
本発明にかかるコンテンツ実行システムは、
携帯情報端末と、外部機器と、コンテンツ所有手段と、を有するコンテンツ実行システムであって、
前記コンテンツ所有手段は、
コンテンツデータと、前記コンテンツデータを実行する際に必要なチケット付きコンテンツデータと、を所有し、
前記コンテンツデータは、前記コンテンツデータを特定するためのコンテンツIDと関連付けて所有し、
前記チケットは、当該チケットで実行可能なコンテンツデータを特定するためのコンテンツIDと、前記コンテンツ所有手段を特定するためのアドレスと、を少なくとも含んで構成し、
前記携帯情報端末は、
前記チケット付きコンテンツデータを獲得する獲得手段と、
前記獲得手段で獲得した前記チケット付きコンテンツデータを、前記チケットと、コンテンツデータと、に分離する分離手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求手段と、
を有し、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段を有することを特徴とする。
【００１７】
また、本発明にかかるコンテンツ実行システムは、
携帯情報端末と、外部機器と、コンテンツ所有手段と、チケット保持手段と、を有するコンテンツ実行システムであって、
前記コンテンツ所有手段は、
コンテンツデータと、前記コンテンツデータを特定するためのコンテンツIDと、を関連付けて管理し、
前記チケット保持手段は、
前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成し、
前記携帯情報端末は、
前記チケットを獲得するチケット獲得手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求手段と、
を有し、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段と、
前記コンテンツ実行手段により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止手段と、
を有することを特徴とする。
【００１８】
＜携帯情報端末＞
また、本発明にかかる携帯情報端末は、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末であって、
前記コンテンツ所有手段から前記チケット付きコンテンツデータを獲得する獲得手段と、
前記獲得手段で獲得した前記チケット付きコンテンツデータを、前記チケットと、コンテンツデータと、に分離する分離手段と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求手段と、
を有することを特徴とする。
【００１９】
また、本発明にかかる携帯情報端末は、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末であって、
前記チケット保持手段から前記チケットを獲得するチケット獲得手段と、
前記チケット獲得手段で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求手段と、
前記コンテンツ実行要求手段により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信手段と、
を有することを特徴とする。
【００２０】
＜外部機器＞
また、本発明にかかる外部機器は、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器であって、
前記携帯情報端末が前記コンテンツ所有手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段を有することを特徴とする。
【００２１】
また、本発明にかかる外部機器は、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器であって、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行手段と、
前記コンテンツ実行手段により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止手段と、
を有することを特徴とする。
【００２２】
＜コンテンツ実行方法＞
また、本発明にかかるコンテンツ実行方法は、
携帯情報端末と、外部機器と、コンテンツ所有手段と、を有するコンテンツ実行システムで行うコンテンツ実行方法であって、
前記コンテンツ所有手段は、
コンテンツデータと、前記コンテンツデータを実行する際に必要なチケット付きコンテンツデータと、を所有し、
前記コンテンツデータは、前記コンテンツデータを特定するためのコンテンツIDと関連付けて所有し、
前記チケットは、当該チケットで実行可能なコンテンツデータを特定するためのコンテンツIDと、前記コンテンツ所有手段を特定するためのアドレスと、を少なくとも含んで構成し、
前記携帯情報端末は、
前記チケット付きコンテンツデータを獲得する獲得工程と、
前記獲得工程で獲得した前記チケット付きコンテンツデータを、前記チケットと、コンテンツデータと、に分離する分離工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求工程と、を行い、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程を行うことを特徴とする。
【００２３】
また、本発明にかかるコンテンツ実行方法は、
携帯情報端末と、外部機器と、コンテンツ所有手段と、チケット保持手段と、を有するコンテンツ実行システムで行うコンテンツ実行方法であって、
前記コンテンツ所有手段は、
コンテンツデータと、前記コンテンツデータを特定するためのコンテンツIDと、を関連付けて管理し、
前記チケット保持手段は、
前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成し、
前記携帯情報端末は、
前記チケットを獲得するチケット獲得工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信するコンテンツ実行要求工程と、を行い、
前記利用条件情報は、前記チケットに含まれる前記コンテンツIDと、前記アドレスと、を少なくとも含んで構成し、
前記外部機器は、
前記携帯情報端末から前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程と、
前記コンテンツ実行工程により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止工程と、
を行うことを特徴とする。
【００２４】
また、本発明にかかるコンテンツ実行方法は、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末で行うコンテンツ実行方法であって、
前記携帯情報端末は、
前記コンテンツ所有手段から前記チケット付きコンテンツデータを獲得する獲得工程と、
前記獲得工程で獲得した前記チケット付きコンテンツデータを、前記チケットと、コンテンツデータと、に分離する分離工程と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求工程と、
を行うことを特徴とする。
【００２５】
また、本発明にかかるコンテンツ実行方法は、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末で行うコンテンツ実行方法であって、
前記携帯情報端末は、
前記チケット保持手段から前記チケットを獲得するチケット獲得工程と、
前記チケット獲得工程で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求工程と、
前記コンテンツ実行要求工程により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信工程と、
を行うことを特徴とする。
【００２６】
また、本発明にかかるコンテンツ実行方法は、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器で行うコンテンツ実行方法であって、
前記外部機器は、
前記携帯情報端末が前記チケット保持手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程を行うことを特徴とする。
【００２７】
また、本発明にかかるコンテンツ実行方法は、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器で行うコンテンツ実行方法であって、
前記外部機器は、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行工程と、
前記コンテンツ実行工程により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止工程と、
を行うことを特徴とする。
【００２８】
＜コンテンツ実行プログラム＞
また、本発明にかかるコンテンツ実行プログラムは、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、当該コンテンツデータは、前記コンテンツデータを特定するためのコンテンツIDと関連付けられており、
前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記携帯情報端末に実行させるコンテンツ実行プログラムであって、
前記携帯情報端末に、
前記コンテンツ所有手段から前記チケット付きコンテンツデータを獲得する獲得処理と、
前記獲得処理で獲得した前記チケット付きコンテンツデータを、前記チケットと、コンテンツデータと、に分離する分離処理と、
前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求処理と、
を実行させることを特徴とする。
【００２９】
また、本発明にかかるコンテンツ実行プログラムは、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記携帯情報端末に実行させるコンテンツ実行プログラムであって、
前記携帯情報端末に、
前記チケット保持手段から前記チケットを獲得するチケット獲得処理と、
前記チケット獲得処理で獲得した前記チケットの中から、前記外部機器で実行させたいコンテンツデータに対応する前記チケットを選択し、該選択したチケットに対応するコンテンツデータの実行要求と、当該コンテンツデータを前記外部機器で実行する際の利用条件情報と、を前記外部機器に送信し、前記利用条件情報には、前記チケットに含まれる前記コンテンツIDと、前記アドレスと、を少なくとも含んで構成しており、前記外部機器が、前記コンテンツデータの実行要求と、前記利用条件情報と、を受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するように前記外部機器に要求するコンテンツ実行要求処理と、
前記コンテンツ実行要求処理により前記コンテンツデータを前記外部機器で実行させた後に、前記携帯情報端末の存在確認を行うためのデータを前記外部機器から受信した場合に、前記データに対する返信を前記外部機器に送信し、前記データに対する返信を前記外部機器が取得している間は、前記コンテンツデータの実行を継続し、前記データに対する返信を前記外部機器が取得できなくなった場合は、前記コンテンツデータの実行を停止するように前記外部機器を制御する返信処理と、
を実行させることを特徴とする。
【００３０】
また、本発明にかかるコンテンツ実行プログラムは、
携帯情報端末と、外部機器と、コンテンツ所有手段と、を有し、
前記コンテンツ所有手段は、コンテンツデータと、前記コンテンツデータを実行する際に必要なチケット付きコンテンツデータと、を所有しており、
前記コンテンツデータは、前記コンテンツデータを特定するためのコンテンツIDと関連付けて所有しており、前記チケットは、当該チケットで実行可能なコンテンツデータを特定するためのコンテンツIDと、前記コンテンツ所有手段を特定するためのアドレスと、を少なくとも含んで構成しているコンテンツ実行システムにおける前記外部機器に実行させるコンテンツ実行プログラムであって、
前記外部機器に、
前記携帯情報端末が前記チケット保持手段から獲得したチケット付きコンテンツを、前記チケットと、コンテンツデータと、に分離した当該チケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行処理を実行させることを特徴とする。
【００３１】
また、本発明にかかるコンテンツ実行プログラムは、
携帯情報端末と、外部機器と、コンテンツ所有手段と、チケット保持手段と、を有し、
前記コンテンツ所有手段は、コンテンツデータと、前記コンテンツデータを特定するためのコンテンツIDと、を関連付けて管理しており、
前記チケット保持手段は、前記コンテンツデータを実行する際に必要なチケットを保持し、前記チケットには、当該チケットで実行可能なコンテンツデータを特定するためのコンテンツIDと、前記コンテンツデータを管理している前記コンテンツ所有手段を特定するためのアドレスと、を少なくとも含んで構成しているコンテンツ実行システムにおける前記外部機器に実行させるコンテンツ実行プログラムであって、
前記外部機器に、
前記携帯情報端末が前記チケット保持手段から獲得したチケットに対応するコンテンツデータの実行要求と、当該コンテンツデータを前記外部機器で実行する際の利用条件情報と、を前記携帯情報端末から受け付けた場合に、前記利用条件情報内のアドレスに該当する前記コンテンツ所有手段と通信し、前記利用条件情報内のコンテンツIDで識別できるコンテンツデータを前記コンテンツ所有手段から取得し、該取得したコンテンツデータを実行するコンテンツ実行処理と、
前記コンテンツ実行処理により前記コンテンツデータを実行した後に、前記コンテンツデータの実行要求を受け付けた携帯情報端末の存在確認を行うためのデータを前記携帯情報端末に一定間隔で送信し、前記データに対する返信を前記携帯情報端末から取得している間は、前記コンテンツデータの実行を継続し、前記データに対する返信を前記携帯情報端末から取得できなくなった場合には、前記コンテンツデータの実行を停止するコンテンツ停止処理と、
を実行させることを特徴とする。
【発明の効果】
【００３２】
本発明によれば、コンテンツデータを携帯情報端末と外部機器とを連携させたシステム上で実行することが可能となる。
【発明を実施するための最良の形態】
【００３３】
＜第１の実施形態＞
第１の実施形態として、携帯情報端末上及び外部機器上でマルチメディアデータ（動画、静止画、音楽など）を再生する例を示す。なお、コンテンツの使用権について、本発明ではチケットと呼ぶ。
【００３４】
＜システムの構成＞
図１を参照して、第１の実施形態によるシステムの構成を説明する。
本システムは、携帯情報端末１、外部機器２、チケットサーバ３、コンテンツサーバ４を有する。なお、チケットサーバ３とコンテンツサーバ４は同一機器で構成されていても良い。
【００３５】
携帯情報端末１は、チケットの管理及びコンテンツ実行が可能である。図２に構成を示す。詳細は後述する。
外部機器２はコンテンツ実行が可能である。外部機器２と携帯情報端末１とは、無線または有線により通信する。図３に外部機器２の構成を示す。詳細は後述する。
【００３６】
チケットサーバ３は、コンテンツサーバ４が管理しているコンテンツデータのチケットを発行、管理するサーバである。携帯情報端末からの要求により、チケットを提供する。
このチケットには、コンテンツの入手先、利用条件（回数による制限、利用時間による制限など）の情報を含んでいる。また、このチケットサーバ３と携帯情報端末１とは、無線または有線により接続可能となる。
【００３７】
コンテンツサーバ４は、コンテンツデータを管理するサーバであり、携帯情報端末１からの要求により、コンテンツデータを提供する。
このコンテンツデータは、場合によっては暗号化されている。また、このコンテンツサーバ４と携帯情報端末１とは、無線または有線により通信する。同様にこのコンテンツサーバ４と外部機器２とは、無線または有線により通信する。
【００３８】
＜携帯端末１の構成＞
図２を参照して携帯情報端末１の構成を説明する。
携帯情報端末１は、ユーザ要求受信部１１、コンテンツ管理部１２、チケット管理部１３、通信部１４、コンテンツプレイヤー１５、記憶部１６、暗号復号部１７を有する。
なお、携帯情報端末の一般的な構成要素である、キーなどの入力装置、及びディスプレイ、スピーカなどの出力装置はここでは省略する。
【００３９】
ユーザ要求処理部１１は、ユーザへの操作画面を提供し、キー入力などからチケット獲得、コンテンツ獲得、コンテンツ実行などの要求を受け付ける。
コンテンツ管理部１２は、コンテンツデータの確認を行い、コンテンツプレイヤー１５を起動させる。
【００４０】
チケット管理部１３は、チケットに関する処理を行う。
通信部１４は、外部機器２、チケットサーバ３、コンテンツサーバ４と通信を行う。この通信部１４では、無線及び有線による通信が可能である。
コンテンツプレイヤー１５は、コンテンツデータを実行する。
【００４１】
記憶部１６は、コンテンツデータ及びチケットを格納する。この記憶部１６は抜き差し可能なメモリカードを利用することもできる。
暗号復号部１７は、コンテンツデータ、チケットの暗号または復号を行う。また、セキュアな通信路を確保するために使用される。
【００４２】
＜外部機器２の構成＞
図３を参照して外部機器２の構成を説明する。
外部機器２は、外部機器ユーザ要求処理部２１、外部機器コンテンツ管理部２２、外部機器チケット管理部２３、外部機器通信部２４、外部機器コンテンツプレイヤー２５、外部機器記憶部２６、外部機器暗号復号部２７を有する。
【００４３】
外部機器ユーザ要求処理部２１は、携帯情報端末１からの要求を解析し、その結果を外部機器コンテンツ管理部２２及び外部機器チケット管理部２３へ通知する。
外部機器コンテンツ管理部２２は、コンテンツデータの確認を行い、外部機器コンテンツプレイヤー２５を起動させる。
外部機器チケット管理部２３は、チケットに関する処理を行う。
【００４４】
外部機器通信部２４は、携帯情報端末１及びコンテンツサーバ４と通信を行う。この外部機器通信部２４では無線及び有線による通信が可能である。
外部機器コンテンツプレイヤー２５は、コンテンツデータを実行する。
【００４５】
外部機器記憶部２６は、コンテンツデータ、利用条件などを格納する。この外部機器記憶部２６は抜き差し可能なメモリカード、コンテンツデータが書き込まれたＣＤなどの媒体を利用することもできる。
【００４６】
外部機器暗号復号部２７は、コンテンツデータ、チケットの暗号化または暗号化されたものの復号を行う。また、この外部機器暗号復号部２７はセキュアな通信路を確保するために使用される。
【００４７】
＜実施動作＞
本実施形態の動作は大きく分けて以下の３つの処理から構成される。
（Ｉ）前処理
（II）携帯情報端末でのコンテンツ利用
（III）外部機器でのコンテンツ利用
以下に上記の処理を説明する。
【００４８】
（Ｉ）前処理
前処理では、コンテンツデータ配布の準備を行う。コンテンツ提供者は、コンテンツサーバ４にコンテンツデータを置く。コンテンツデータは、コンテンツＩＤに関連付けられる。このコンテンツＩＤはチケットサーバ３へ渡される。
このとき、チケットサーバ３へ渡されるこれらの情報は、携帯情報端末からのチケット獲得依頼時にチケット情報の一部としてチケット内に含まれることになる。
【００４９】
また、必要であればコンテンツデータは暗号化され、コンテンツサーバ４に置かれる。その場合、その復号キー情報はコンテンツＩＤと一緒にチケットサーバ３へ渡される。
【００５０】
（II）携帯情報端末でのコンテンツ利用
まず、外部機器２が近くに存在しない環境で利用者がコンテンツを楽しむ場合の動作概要を以下に説明する。
図４は以下に説明する動作に関するシーケンス図である。
ステップＡ−１：利用者は、あるコンテンツを実行するためのチケットが必要となり、携帯情報端末１のユーザ要求処理部１１を操作する。まず、チケット管理部１３に該当するチケットが記憶部１６に存在しないか確認する。その情報をユーザ要求処理部１１を通して利用者に通知する。
もし、チケットが存在すれば、ステップＡ−４へ進む。
【００５１】
ステップＡ−２：もし、チケットが存在しなければ、利用者は、ユーザ要求処理部１１でチケット獲得を要求し、その旨をチケット管理部１３に渡す。チケット管理部１３は、通信部１４を利用してチケットサーバ３と通信し、チケットを発行してもらう。この時、必要であれば、利用者に要求するコンテンツの利用条件をユーザ要求処理部１１を通して問い合わせ、その旨をチケットサーバ３へ通知し、その利用条件を含むチケットを発行してもらう。また、この通信には、暗号復号部１７を利用してセキュアな通信路を確保する。
【００５２】
このときのチケット情報は、少なくとも以下の情報を含んでいる。
・コンテンツＩＤ
・コンテンツサーバアドレス
・利用条件（回数、累積利用時間など）
・コンテンツデータ復号キー情報（必要な場合のみ）
【００５３】
ステップＡ−３：チケット管理部１３は、チケットを記憶部１６に格納後、ユーザ要求処理部にチケットの存在を通知する。
ステップＡ−４：利用者は、ユーザ要求処理部１１を操作し、利用したチケットを選択し、コンテンツ実行要求を行う。ユーザ要求処理部１１は、コンテンツ管理部１２へその旨を伝える。
コンテンツ管理部１２は、チケット内のコンテンツＩＤで示されるコンテンツデータが記憶部１６に存在するか確認する。もし、存在すれば、ステップＡ−７へ進む。
【００５４】
ステップＡ−５：もし、存在しなければ、コンテンツ管理部１２は、通信部１４を利用して、チケット内のコンテンツサーバアドレスで指定されるコンテンツサーバ４と通信し、チケット内のコンテンツＩＤで識別されるコンテンツデータを獲得する。
ステップＡ−６：コンテンツ管理部１２は、獲得したコンテンツデータを記憶部１６に格納する。
【００５５】
ステップＡ−７：チケット内の利用条件を伴ってコンテンツプレイヤー１５を起動する。
この時、必要であれば、コンテンツデータ復号キー情報も一緒に渡す。コンテンツプレイヤー１５は、利用条件が有効であることを確認後、コンテンツデータを読み込み、実行する。
【００５６】
コンテンツデータが暗号化されている場合の復号処理は、暗号復号部１７で復号されたコンテンツデータをコンテンツプレイヤー１５に渡すことにより行う。または、暗号化されたコンテンツデータをコンテンツプレイヤー１５に渡す場合は、コンテンツプレイヤー１５が暗号復号部１７を呼び出し、復号することにより行う。
【００５７】
また、コンテンツデータの復号処理において、暗号復号部１７では、コンテンツデータを復号する。
この復号は、コンテンツデータ復号キー情報単独で、コンテンツデータを復号する。あるいは、コンテンツデータ復号キー情報、コンテンツデータに付属するキー情報、携帯情報端末１内のキー情報のうちで、複数のキー情報を使用して復号キーを生成する。これは、それぞれの情報が正しいことを確認後、コンテンツデータを復号するための復号キーを生成し、その生成したキーによりコンテンツデータを復号する。
【００５８】
そのチケットに対応するコンテンツを初めて実行した場合、記憶部１６に保存されているチケットの情報は、携帯情報端末１を一意に識別可能な携帯情報端末識別子と関連付けられ、記憶部１６にその携帯情報端末識別子と一緒に保存される。この携帯情報端末識別子は、もし、使用する携帯情報端末が携帯電話であれば、ＵＩＭ（User Identity Module）と呼ばれる加入者識別用のＩＣカードの情報を利用してもよい。つまり、利用者が特定できる識別子であればよい。
【００５９】
同一チケットに対するコンテンツを次回実行する場合は、そのチケットに関連付けられている携帯情報端末識別子が携帯情報端末１自身の識別子であるか確認後、実行される。
【００６０】
換言すれば、コンテンツはどのように配布、流通されてもよいが、チケットがないとコンテンツを再生することができないシステムになっており、更に、最初にコンテンツを利用した携帯情報端末を識別するための識別子をチケットと関連付けることで、チケットの複数回利用に制限を設けている。
【００６１】
コンテンツを初めて利用した携帯情報端末を識別する方法は携帯情報端末の識別子に限定されるものではなく、その認証方法には様々な手法が適用可能である。
【００６２】
利用者からの停止要求をユーザ要求処理部１１が受け付けた時、あるいは、利用条件が満了した時点でコンテンツプレイヤー１５は終了する。
【００６３】
ステップＡ−８：もし、利用条件が満了した場合、チケットも無効となる。例えば、１時間だけ、コンテンツプレイヤー１５を実行できるという条件であれば、１時間経過した時点で、コンテンツプレイヤー１５は終了する。また、１回だけコンテンツプレイヤーを実行できるという利用条件であれば、コンテンツデータが終わりまで実行された時点でコンテンツプレイヤー１５を終了させる。
コンテンツプレイヤー１５が終了した時点でユーザ要求処理部１１を通して利用者にその旨が通知される。
【００６４】
なお、実行するデータがストリーミングデータの場合、コンテンツデータの獲得、格納は不要となる。よって、上記のステップＡ−４からステップＡ−６の処理は不要となり、ステップＡ−７でのコンテンツプレイヤー１５の起動処理を行うことで、ストリーミングのコンテンツ実行が可能となる。
【００６５】
また、記憶部１６が抜き差し可能なメモリカードの場合、チケットサーバ３及びコンテンツサーバ４となりえるキオスク端末にそのメモリカードを挿してチケット及びコンテンツを獲得することが可能となる。キオスク端末とは、コンビニエンスストアなどに設置されているゲームコンテンツなどを提供する機器のことを指す。
【００６６】
なお、全くコンテンツを利用していないチケットは他人へのプレゼントとして利用可能である。コンテンツを最初に使用した携帯情報端末の識別子をチケットと関連付けるため、チケット購入者と使用者とが異なってもよいからである。
【００６７】
（III）外部機器でのコンテンツ利用
利用者が、高品位大画面、高品位音楽再生が可能な外部機器２が近くに存在する環境（ある店舗内、自宅など）でコンテンツを楽しむ場合の動作概要を以下に説明する。
【００６８】
上記（II）で利用した携帯情報端末１において、コンテンツを実行するためのチケットがない場合には、上記（II）のステップＡ−１を実行し、チケットを獲得しておく。
図５は、チケットが存在する状況において、以下に説明する動作に関するシーケンス図である。
【００６９】
ステップＢ−１：まず、利用する外部機器２に利用権を持っている携帯情報端末１であることを通知すると同時に、コンテンツの実行を要求する。ユーザ要求処理部１１は、外部機器２で実行させたいコンテンツに対応したチケットを選択し、チケット管理部１３に通知する。チケット管理部１３は、記憶部１６から該当するチケットを取り出し、通信部１４を通して外部機器２へ利用条件を伴う外部機器利用条件情報を通知する。本実施形態で、外部機器へ通知される利用条件は、１回利用するという利用条件となる。
なお、利用条件は回数に限定されるものではなく、1時間のみ実行という時間指定でもよい。
【００７０】
通信は、携帯情報端末１の通信部１４と外部機器２の外部機器通信部２４との間で行われる。また、必要であれば、暗号復号部１７と外部機器暗号復号部２７を利用してセキュアな通信路を確保する。
また、外部機器２に相当する機器が複数存在する場合はどの機器を使用するか指定しなければならない。
【００７１】
本実施形態では、携帯情報端末１と外部機器２との間の通信は、指向性のある赤外線通信、あるいは、非接触ＩＣにより、携帯情報端末１を利用したい外部機器２にかざすことで外部機器利用条件情報を送り出すと同時に利用したい外部機器を指定している。
【００７２】
そのチケットに対応するコンテンツを初めて実行した場合、携帯情報端末１の記憶部１６に保存されているチケットの情報は、携帯情報端末１を一意に識別可能な携帯情報端末識別子と関連付けられ、記憶部１６にその携帯情報端末識別子と一緒に保存される。この携帯情報端末識別子は、もし、使用する携帯情報端末が携帯電話であれば、ＵＩＭと呼ばれる加入者識別用のＩＣカードの情報を利用してもよい。つまり、利用者が特定できる識別子であればよい。
【００７３】
同一チケットに対応するコンテンツを次回実行する場合は、そのチケットに関連付けられている携帯情報端末識別子が携帯情報端末１自身の識別子であるか確認後、実行される。
【００７４】
このステップで通信される外部機器利用条件情報は、少なくとも以下のものを含んでいる。
・コンテンツＩＤ
・コンテンツサーバアドレス
・利用条件（１回）
・コンテンツデータ復号キー情報（必要な場合のみ）
・携帯情報端末内のキー情報（必要な場合のみ）
【００７５】
携帯情報端末１の記憶部１６が抜き差し可能なメモリカードの場合、上記外部機器利用条件情報を保持するメモリカードを携帯情報端末１から抜き、外部機器２にメモリカードを差し込んで、外部機器利用条件情報を外部機器２へ移動させることも可能である。
【００７６】
ステップＢ−２：外部機器２へコンテンツの実行要求を行った後は、外部機器２との通信は行わないで、携帯情報端末１に存在するチケット内の利用条件を更新する。
【００７７】
例えば、利用条件として回数券を持っており、それが、５回券であった場合、外部機器２へ１回分の実行を命令したため、回数券の回数をデクリメントし、４回券とする。つまり、チケット管理部１３は、チケット内の利用条件を更新した後、記憶部１６へ格納する。
【００７８】
ステップＢ−３：外部機器２が、携帯情報端末１から外部機器利用条件情報を受け取ると、外部機器ユーザ要求処理部２１は、外部機器利用条件情報を外部機器チケット管理部２３へ渡す。
【００７９】
ただし、外部機器チケット管理部２３は、外部機器記憶部２６への格納は行わない。その後、外部機器ユーザ要求処理部２１は外部機器コンテンツ管理部２２へコンテンツの実行要求を行う。
【００８０】
外部機器コンテンツ管理部２２は、外部機器利用条件情報内のコンテンツＩＤで示されたコンテンツデータが外部機器記憶部２６に存在するか確認する。もし、存在すれば、ステップＢ−６へ進む。
【００８１】
ステップＢ−４：存在しなければ、携帯情報端末１あるいは、コンテンツサーバ４からコンテンツデータを獲得可能である。
コンテンツサーバ４から獲得する場合、外部機器コンテンツ管理部２２は、外部機器通信部２４を利用して、外部機器利用条件情報内のコンテンツサーバアドレスで指定されるコンテンツサーバ４と通信し、外部機器利用条件情報内のコンテンツＩＤで識別されるコンテンツデータを獲得する。この時、外部機器２が自身の製品名、機器名などの外部機器属性情報を含む高品位データ要求命令、あるいは外部機器属性情報を含まない高品位データ要求命令をコンテンツサーバ４に与え、コンテンツサーバ４が該当する高品位コンテンツデータを保持していれば、高品位コンテンツデータをダウンロードすることが可能となる。あるいは高品位データ要求を行わない場合は、携帯情報端末１が獲得可能なコンテンツデータと同一のものを獲得可能である。
【００８２】
携帯情報端末１から獲得する場合、外部機器２の外部機器コンテンツ管理部２が携帯情報端末１のコンテンツ管理部１２に問い合わせて、対応するコンテンツデータが記憶部１６に存在すれば、そのデータを一時的に獲得する。このデータは、コンテンツ実行後は、外部機器２内からは削除される。
【００８３】
なお、携帯情報端末１のコンテンツデータを使うか、コンテンツサーバ４のコンテンツデータを使うかは選択可能である（この携帯情報端末１から獲得する場合は図６に記述されていない）。
【００８４】
ステップＢ−５：外部機器コンテンツ管理部２２は、獲得したコンテンツデータを外部機器記憶部２６に格納する。
ステップＢ−６：外部機器利用条件情報内の利用条件を伴って外部機器コンテンツプレイヤー２５を起動する。この時、必要であれば、コンテンツデータ復号キー情報も一緒に渡す。
外部機器コンテンツプレイヤー２５は、外部機器利用条件情報内の利用条件が有効であることを確認後、コンテンツデータを読み込み、実行する。
【００８５】
コンテンツデータが暗号化されている場合の復号処理は、外部機器暗号復号部２７で復号されたコンテンツデータを外部機器コンテンツプレイヤー２５に渡す。あるいは、暗号化されたコンテンツデータを外部機器コンテンツプレイヤー２５に渡した場合は、外部機器コンテンツプレイヤー２５が、外部機器暗号復号部２７を呼び出し、復号する。
【００８６】
また、コンテンツデータの復号処理において、外部機器暗号復号部２７では、コンテンツデータ復号キー情報単独でコンテンツデータを復号する。あるいは、コンテンツデータ復号キー情報、コンテンツデータに付属するキー情報のうちで、複数のキー情報を使用して復号キーを生成する。これは、それぞれの情報が正しいことを確認後、コンテンツデータを復号するための復号キーを生成し、その生成したキーによりコンテンツデータを復号するためである。
【００８７】
ステップＢ−７：利用者が、外部機器２上で実行中のコンテンツ実行を止めたい場合、携帯情報端末１のユーザ要求処理部１１からの停止要求を行う。この要求は、チケット管理部１３に伝えられる。
チケット管理部１３は自身の携帯情報端末識別子を獲得し、通信部１４を通して、停止命令を外部機器２へ送る。外部機器２がその命令を受け取ると、外部機器ユーザ要求処理部２１に送る。
【００８８】
今現在実行されているコンテンツを実行した携帯情報端末１からの命令であることを確認するために、送られてきた携帯情報端末識別子と外部機器記憶部２６に格納されている、今現在実行されているコンテンツに対応する外部機器利用条件情報内の携帯情報端末識別子を比較する。同じ携帯情報端末識別子を確認後、外部機器ユーザ要求処理部２１は、外部機器コンテンツ管理部１２を通して、外部機器コンテンツプレイヤー２５に停止の通知を行う。
外部機器コンテンツプレイヤー２５はコンテンツの実行を停止する。
または、携帯情報端末１からの停止命令がない場合でも、利用条件が満了すると、外部機器コンテンツプレイヤー２５は、コンテンツの実行を停止する。
【００８９】
ステップＢ−８：外部機器チケット管理部２３は、コンテンツ実行が終了した通知を受けると、外部機器利用条件情報を削除する。
なお、実行するデータがストリーミングデータの場合、コンテンツデータの取得は不要となる。よって、上記のステップＢ−３からステップＢ−５の処理は不要となり、ステップＢ−６での外部機器コンテンツプレイヤー２５の起動処理を行うことで、ストリーミングのコンテンツ実行が可能となる。
【００９０】
また、外部記憶部２６が抜き差し可能なメモリカードの場合、コンテンツサーバ４となりえるキオスク端末にそのメモリカードを挿してコンテンツを獲得することが可能となる。
【００９１】
更に、携帯情報端末１の記憶部１６も抜き差し可能なメモリカードの場合、携帯情報端末１でメモリカードに外部機器利用者情報を書き込んでもらうことも可能となる。同時に、コンテンツデータが携帯情報端末１にある場合、メモリカードに格納可能なサイズであれば、外部機器利用者情報とコンテンツデータを一緒にメモリカードに格納して外部機器２へ持ってくることも可能である。
【００９２】
＜第１の実施形態から得られる効果＞
以上の構成から得られる効果は以下の通りである。
第１に、コンテンツプロバイダは、著作権などの権利を保護できることである。
これは、携帯情報端末がチケットを持っていないと携帯情報端末上でのコンテンツの実行ができないためである。更に、そのチケットを最初に使用した、チケットに関連付けられた携帯情報端末識別子と同じ識別子を持つ携帯情報端末上でのみコンテンツの実行が可能となるためである。また、外部機器を利用する場合も、チケットを購入し、そしてそのチケットを保持している携帯情報端末がないと外部機器上でコンテンツを実行することができないためである。
【００９３】
第２に、利用者は、携帯情報端末で実行されるコンテンツと同じ内容のコンテンツが、より高画質、より高音質で実行可能となることである。
これは、携帯情報端末上で購入したコンテンツを楽しむための権利を携帯情報端末よりもリッチな機能を持つ外部機器に与えることにより、外部機器でのコンテンツの実行が可能となるからである。また、外部機器上では、携帯情報端末上で使用されるコンテンツデータよりも高品位なデータを獲得することが可能となるからである。
【００９４】
第３に、利用者は、今いる環境で最適な機器上でコンテンツを楽しめることである。
これは、常時携帯している携帯情報端末上にコンテンツを実行する環境があり、外部機器に同じようにコンテンツを実行する環境があるからである。その上で、コンテンツを実行するためのチケットが携帯情報端末から外部機器に与えられるからである。
【００９５】
第４に、利用者は、外部機器上でコンテンツを実行するチケットを新規に購入する必要がないことである。
これは、携帯情報端末にチケットが存在すれば、そのチケットを外部機器に与えることで新規に利用する必要がなくなるからである。
【００９６】
第５に、コンテンツプロバイダは、コンテンツサーバの負荷分散が可能となることである。
これは、チケット内にコンテンツデータを獲得するためのコンテンツサーバアドレスを含めており、そのサーバからコンテンツデータを獲得する仕組みにしているからである。
【００９７】
第６に、本発明では、特殊な仕組みを持つコンテンツプレイヤーの他に、普通のコンテンツプレイヤーが利用可能となることである。
これは、コンテンツ管理部１２、外部機器コンテンツ管理部２２がコンテンツプレイヤー１５、外部機器コンテンツプレイヤー２５を起動、停止させることが可能であるためである。
【００９８】
ＰＣ上で動作するＤＲＭシステムなどでは、コンテンツプレイヤー内にＤＲＭのための仕組みがある。
本実施形態では、そういった特殊な仕組みをもたないコンテンツプレイヤーでも、コンテンツ管理部１２、外部機器コンテンツ管理部２２によって実行、停止を制御するため、利用条件に対応した使用が可能となる。よって、コンテンツプレイヤーは、様々なものが流用可能となり、本実施形態のような仕組みを携帯端末、外部機器内に構築する場合、比較的安価にできると考えられる。
【００９９】
第７に、本来のチケットの持ち主である携帯情報端末からの命令でなければ、外部機器２は動作せず、命令を実行しないことである。
これは、携帯情報端末１からの外部機器２へ命令を送信する場合、自身の識別子である携帯情報端末識別子も一緒に送信するためである。これにより、外部機器へチケットを送った携帯情報端末からの命令のみで実行することになる。つまり、チケットが外部機器２上に存在していても、他の携帯情報端末では実行できないことを意味する。
【０１００】
携帯情報端末は、利用者が常時身に付けているものであることを考えると、携帯情報端末は、利用者そのものと考えることができる。その結果、コンテンツを利用するためのチケットを獲得した携帯情報端末は、コンテンツを利用するためのチケットを獲得した利用者が使用していると考えることができる。別の見方をすると、携帯情報端末そのものが、コンテンツを利用するためのチケットであると考えることができる。
【０１０１】
＜第２の実施形態＞
構成は第１の実施形態と同じである。
図６に本実施形態のシーケンス図を示す。この図において、第１の実施形態と相違するところのみ説明する。
【０１０２】
ステップＣ−１：第１の実施形態のステップＢ−１で携帯情報端末１から外部機器２へ渡される外部機器利用条件情報の利用条件は、１回分の実行しかなかった。本実施形態のステップＣ−１では、携帯情報端末１のチケットの内容と携帯情報端末１を一意に識別可能な携帯情報端末識別子を外部機器利用条件情報として送信する。
この携帯情報端末識別子は、もし、使用する携帯情報端末が携帯電話であれば、ＵＩＭと呼ばれる加入者識別用のＩＣカードの情報を利用してもよい。
外部機器利用条件情報内に携帯情報端末識別子を含めるのは、外部機器利用条件情報内のチケット情報の本来の持ち主である携帯情報端末を一意に識別可能とするためである。
【０１０３】
また、外部機器２は、外部機器２を一意に識別可能な外部機器識別情報を携帯情報端末１に送っておく。このときの外部機器利用条件情報は少なくとも以下の情報を含んでいる。
・携帯情報端末識別子
・チケット
・携帯情報端末内のキー情報
【０１０４】
このときの外部機器識別情報は、少なくとも以下の情報を含んでいる。
・外部機器ＩＤ
・場所情報（外部機器２が場所情報を持っていれば）
【０１０５】
ステップＣ−２：携帯情報端末１では、外部機器２から受け取った外部機器識別情報を記憶部１６に格納する。外部機器２では、携帯情報端末１で受け取った外部機器利用条件情報を外部機器記憶部２６へ格納する。
ステップＣ−３からＣ−７までは、第１の実施形態と同じである。
【０１０６】
ステップＣ−８：外部機器記憶部２６内の外部機器利用条件情報内のチケットは、利用条件の内容が更新される。例えば、回数券であれば、１回分を利用しようとしたとして、コンテンツを実行した時間だけ今後コンテンツを利用可能となる利用時間が減算される。
【０１０７】
ステップＣ−９：利用者は、チケットの回収を行う。ユーザ要求処理部２１からチケット回収を要求する。この要求はチケット管理部１３に通知され、記憶部１６で外部機器識別情報を獲得し、その外部機器識別情報と共に、通信部１４を通して、回収命令を外部機器２へ送る。外部機器２がその命令を受け取ると、外部機器ユーザ要求処理部２１に送る。
【０１０８】
外部機器ユーザ要求処理部２１は、外部機器チケット管理部２３を通して外部機器記憶部２６から外部機器利用条件情報内のチケットを取り出し、外部機器通信部２４を通して、そのチケットを携帯情報端末１に送る。この時、外部機器記憶部２６の外部機器利用条件情報は削除される。
なお、ここでもステップＣ−７と同様に外部機器識別情報及び携帯情報端末識別子を確認する。
【０１０９】
チケットを受け取った携帯情報端末１では、チケット管理部１３が記憶部１６に格納する。この時、外部機器識別情報は削除される。
また、ステップＣ−９でチケットを回収せずに、携帯情報端末１から実行命令を送信すると、続けてコンテンツ実行が可能となる。この場合、外部機器２が実行命令を受信した後、ステップＣ−３から処理することになる。
【０１１０】
なお、実行するデータがストリーミングデータの場合、コンテンツデータの取得は不要となる。よって、上記のステップＣ−３からステップＣ−５の処理は不要となる。ステップＣ−６で外部機器コンテンツプレイヤー２５の起動処理を行うことで、ストリーミングのコンテンツ実行が可能となる。
【０１１１】
携帯情報端末１が、チケットを外部機器２へ置き忘れた場合、ステップＣ−１で得られた外部機器２の外部機器識別情報を携帯情報端末１のユーザ要求処理部１１に表示させて、利用者にそのチケットの在り処を示す。この時、地図情報と連動可能であれば、外部機器識別情報内の場所情報と連動して、地図上で、チケットの在り処を表示可能となる。
【０１１２】
なお、Ｃ−１で実施されるチケットに対応するコンテンツを初めて実行した場合に、チケットの情報が携帯情報端末１を一意に識別可能な携帯情報端末識別子と関連付けられる処理があるが、場合によっては、ステップＣ−６、あるいは、ステップＣ−９で行われる場合もある。
【０１１３】
＜第２の実施形態から得られる効果＞
第２の実施形態の効果は、第１に外部機器上でのコンテンツ実行において、きめ細かい利用条件が設定可能であることである。
第１の実施形態では、１回のみの実行可能という権利が携帯情報端末１から外部機器２へ与えられており、回数券のみの利用しかできなかったが、本実施形態では、チケットが携帯情報端末１から外部機器２へ移動しているため、外部機器２内でチケットを使用した制御が可能となる。このため、チケットが回数券だけでなく、累積利用時間券であっても、正確なコンテンツ実行時間をチケットに反映（更新）することが可能である。また、チケットが回数券であれば、１回以上実行可能であり、その都度、携帯情報端末１は外部機器利用条件情報の送信を行う必要がなくなり、通信データ量の削減が可能である。
【０１１４】
第２の効果は、本来のチケットの持ち主である携帯情報端末からの命令でなければ、外部機器２は動作しない、すなわち命令を実行しないことである。
これは、携帯情報端末１から外部機器２へ命令を送信する場合、自身の識別子である携帯情報端末識別子も一緒に送信されるためである。これにより、外部機器へチケットを送った携帯情報端末からの命令のみ実行することになる。つまり、チケットが外部機器２上に存在していても、他の携帯情報端末では実行できないことを意味する。
【０１１５】
携帯情報端末は、利用者が常時身に付けているものであることを考えると、携帯情報端末は、利用者そのものと考えることができる。その結果、コンテンツを利用するためのチケットを獲得した携帯情報端末は、コンテンツを利用するためのチケットを獲得した利用者が使用していると考えることができる。別の見方をすると、携帯情報端末そのものが、コンテンツを利用するためのチケットであると考えることができる。
【０１１６】
第３の効果は、外部機器上にチケットを忘れても、携帯情報端末でどの外部機器に忘れたか分かることである。
これは、チケットを外部機器に与えたとき、外部機器から受け取った外部機器識別子を携帯情報端末がチケットの代わりに格納しているためである。
【０１１７】
第４の効果は、携帯情報端末上で動作するコンテンツの利用条件が外部機器でも適用可能となることである。
携帯端末上で獲得したチケットが外部機器上へ送られ、外部機器上で処理されるためである。
【０１１８】
＜第３の実施形態＞
＜構成＞
本実施形態の全体構成を図７に示す。第１の実施形態で参照した図１との違いは、図１のチケットサーバ３とコンテンツサーバ４がなくなり、図７ではコンテンツサーバ５が存在することである。
【０１１９】
このコンテンツサーバ５は、チケット付きコンテンツデータとチケット無しコンテンツデータを管理している。
チケット付きコンテンツデータは、携帯情報端末１上で実行可能となるデータであり、データ量は比較的少ない。チケット無しコンテンツデータは、チケット付きコンテンツデータと同じデータ、あるいは、高品位再生のためデータ量が多いものが用意される。これら２つのコンテンツデータはチケット付きコンテンツデータのチケットで実行可能となる。
携帯情報端末１と外部機器２の内部構成は第１の実施形態と同じである。つまり、図２と図３である。
【０１２０】
＜動作＞
図８に本実施形態のシーケンス図を示す。この図を参照しながら動作を説明する。
ステップＤ−１：利用者はあるコンテンツを実行したいと思い、携帯情報端末１のユーザ要求処理部１１を操作する。まず、チケット管理部１３に該当するチケットが記憶部１６に存在しないか確認する。その情報をユーザ要求処理部１１を通して利用者に通知する。
もし、チケットが存在すれば、ステップＡ−４へ進む。
【０１２１】
ステップＤ−２：チケットが存在しなければ、利用者は、ユーザ要求処理部１１でチケット付きコンテンツデータ獲得を要求し、その旨をコンテンツ管理部１２に渡す。
コンテンツ管理部１２は、通信部１４を利用してコンテンツサーバ５と通信し、チケット付きコンテンツデータを獲得する。この時、必要であれば、利用者に要求するコンテンツの利用条件をユーザ要求処理部１１を通して問い合わせ、その旨をコンテンツサーバ５へ通知し、その利用条件を含むチケットを発行してもらう。また、この通信には、暗号復号部１７を利用してセキュアな通信路を確保する。
【０１２２】
このときのチケット情報は少なくとも以下の情報を含んでいる。
・コンテンツＩＤ
・コンテンツサーバアドレス
・利用条件（回数、累積利用時間など）
・コンテンツデータ復号キー（必要な場合のみ）
【０１２３】
ステップＤ−３：携帯情報端末１がチケット付きコンテンツデータを獲得すると、チケットとコンテンツデータを分離する。
ステップＤ−４：コンテンツ管理部１２及びチケット管理部１３から記憶部２６へチケットとコンテンツデータを分離した状態で格納する。ここに至って外部機器上でコンテンツ実行が可能となる。すなわちステップＤ−５（携帯情報端末上での実行）或いはステップＢ−１、ステップＣ−１（外部機器上での実行）を選択することができる。
ステップＤ−５及びステップＤ−６は、第１の実施形態のステップＡ−７とＡ−８と同様の処理となる。
外部機器上でコンテンツを実行する場合は、第１の実施形態のステップＢ−１からステップＢ−７、及び第２の実施形態でステップＣ−１からＣ−９と同様な処理となる。
【０１２４】
＜第３の実施形態から得られる効果＞
本実施形態による効果は、携帯情報端末とコンテンツサーバとの間での通信量が減ることである。
これは、チケットとコンテンツデータを一度に獲得可能としたためである。
【０１２５】
＜第４の実施形態＞
＜構成＞
本実施形態の構成は、図９に示すように外部機器２に外部機器入力部２８を加えたことを除けば、第１の実施形態と同じである。
外部機器２の外部機器ユーザ要求処理部２１は外部機器入力部２８からの入力内容を処理し、携帯情報端末からの命令だけでなく、利用者が外部機器に直接命令を与えることを可能とする。
【０１２６】
＜動作＞
以下に本実施形態の動作を説明する。
本実施形態の動作を示すフローチャートは第１から第３の実施形態におけるフローチャートのステップ７の部分を以下の動作に置き換えたもの（ステップＥ−７と呼ぶこととする）である。
ステップＥ−７：利用者が外部機器２に対して、停止命令を行いたい場合、外部機器２の外部機器入力部２８に利用者が釦操作、音声入力、ＧＵＩ操作などにより直接命令を入力する。
【０１２７】
このときは、外部機器記憶部２６に格納されている、今現在実行されているコンテンツに対応する外部機器利用条件情報内の携帯情報端末識別子との比較は行わない。
そして、外部機器ユーザ要求処理部２１は、外部機器コンテンツ管理部１２を通して、外部機器コンテンツプレイヤー２５に停止の通知を行う。これを受けて外部機器コンテンツプレイヤー２５はコンテンツの実行を停止する。停止命令以外の命令、例えば、実行命令などもこの方法で可能である。
【０１２８】
＜第４の実施形態から得られる効果＞
本実施形態から得られる効果は、携帯情報端末内のコンテンツデータを外部機器上で実行する場合、利用者は携帯情報端末の操作を行う必要がないので、利用者が本システムの操作をしやすくなる。
これは、チケットの送受信以外の命令実行を外部機器で直接操作するためである。つまり、携帯情報端末内のコンテンツデータを外部機器上で実行する場合、携帯情報端末は、外部機器と指向性のある通信、あるいは通信可能距離が短いものによる通信を行うため、固定設置されなければならない。このため、利用者が携帯情報端末を操作することは、困難となる場合が考えられるが、外部機器で直接操作することで、この固定設置が不要となる。
【０１２９】
＜第５の実施形態＞
本実施形態では、ホットスポット、店内ネットワークなどのローカルなネットワーク内での利用を想定している。
携帯情報端末と外部機器との通信に使用する通信路の数とその通信路で流れるデータが異なる。
【０１３０】
本実施形態の構成は第１の実施形態に同じである。
以下に動作を説明する。
本実施では、第１から第３の実施形態で用いたフローチャートのステップ１における通信路及び通信データが異なる（ステップＦ−１と呼ぶこととする）。これに図１０も加えて説明する。
【０１３１】
ステップＦ−１：利用する外部機器２を指定する。
携帯情報端末１は、自身のアドレスを通信部１４を通して外部機器２へ送信する。または外部機器２は、外部機器通信部２４を通して自身のアドレスを携帯情報端末１へ送信する。必要であれば、後の通信路をセキュアにするための暗号キーも送信する。
【０１３２】
この通信では、赤外線通信、非接触ＩＣ、または相手側のディスプレイに表示されるバーコードの読み取りなどの指向性があるか、または、通信距離が短い、あるいはその両方を備えた通信により、携帯情報端末１が利用したい外部機器２にかざし、通信すること、あるいは、ＵＳＢなどでの有線による接続で、外部機器２を指定している。
【０１３３】
その後、獲得したアドレスを元に無線ＬＡＮ、Ｂｌｕｅｔｏｏｔｈ、有線ＬＡＮなどの指向性のない通信により、外部機器２で実行させたいコンテンツに対応したチケットを選択し、チケット管理部１３に通知する。チケット管理部１３は、記憶部１６から該当するチケットを取り出し、通信部１４を通して外部機器２へ利用条件を伴う外部機器利用条件情報を通知する。
【０１３４】
通信は、携帯情報端末１の通信部１４と外部機器２の外部機器通信部２４との間で行われる。また必要であれば、暗号復号部１７と外部機器暗号復号部２７を利用してセキュアな通信路を確保する。このときの暗号キーは、アドレス獲得時に取得した暗号キーを使用する。
【０１３５】
これ以後のステップ（第１から第３の実施形態に同じ）における通信は、無線ＬＡＮ、Ｂｌｕｅｔｏｏｔｈ、有線ＬＡＮなどの指向性のない通信で行う。
【０１３６】
本実施形態のシステムの外部機器２では、初期化時の設定により、コンテンツを実行してから、利用者が外部機器２に携帯情報端末１を通して、停止命令を送る。あるいは、利用条件が満了してコンテンツ実行が停止するまでの間、携帯情報端末１が外部機器２の近傍に存在するかを確認することが可能となる。つまり、コンテンツを利用／実行する権利を持つ利用者（携帯情報端末１）の確認が可能である。
【０１３７】
外部機器２の初期化時の設定でこの機能を有効にしておいた場合、コンテンツ実行が行われると、ステップＦ−１で得られたアドレスを利用して、外部機器２はある一定間隔で携帯情報端末１へ存在確認のためのデータを送信する。携帯情報端末１からの返送がない場合、外部機器２は、携帯情報端末１が存在しないと考えてコンテンツ実行を停止する。
この存在確認は、携帯情報端末からの通信でもよいし、外部機器からの通信でもよいし、または双方向による通信でもよい。
【０１３８】
＜第５の実施形態から得られる効果＞
第１に、携帯情報端末１による外部機器２の操作において、携帯情報端末１と外部機器２との向き、置き場所を考慮する必要がないことである。
これは、お互いのアドレスを通知することにより、その後の通信は、指向性のない通信が可能となるからである。これにより、利用者は、外部機器上のコンテンツ実行の制御を携帯情報端末１上で操作する場合、自由な向き、自由な格好で操作できる。つまり、外部機器２へ携帯情報端末１をかざす動作が最初にアドレスを渡す動作の１回のみで可能となる。
【０１３９】
第２に、コンテンツ実行を行える携帯情報端末がローカルエリア内に存在しなくなった場合、外部機器上でのコンテンツ実行は停止することである。
これは、外部機器と携帯情報端末との間である一定周期で通信しており、通信不可能となったら、外部機器の近傍に携帯情報端末が存在しないと判断させているからである。
【０１４０】
＜第６の実施形態＞
本実施形態では、ピア・ツー・ピアによるコンテンツデータ獲得を実現する。
＜構成＞
全体の構成を図１１に示す。
第１の実施形態の全体構造の図１との違いは、携帯情報端末６と外部機器７とが追加されていることである。
携帯情報端末６は、携帯情報端末１と内部構成が同一である（図２）。
外部機器７は、外部機器２の内部構成が同一である（図３）。
ただし、携帯情報端末１と携帯情報端末６のコンテンツ管理部１２には、第１の実施形態と違い、コンテンツデータ発見機能が追加されている。また、外部機器２と外部機器７の外部機器コンテンツ管理部２２は、第１の実施形態と違い、コンテンツデータ発見機能が追加されている。
【０１４１】
＜動作＞
第１から第５の実施形態との動作における相違は、コンテンツデータを獲得する処理が異なることである。以下に他の実施形態と異なる処理（ステップＧ−５及びＨ−４と呼ぶこととする）のみを説明する。
なお、携帯情報端末１及び外部機器２を利用者が使用することとして説明する。
【０１４２】
第１の実施形態のステップＡ−５において、携帯情報端末１は、コンテンツサーバ４からコンテンツデータを獲得していた。しかし、本実施形態のステップＧ−５では、最初にコンテンツ管理部１２のコンテンツデータ発見機能を使用して利用したいコンテンツデータを他の携帯情報端末が保持していないか検索する。検索はコンテンツＩＤを指定して行う。もし、ここで、携帯情報端末５が該当するコンテンツデータを保持していれば、携帯情報端末６からコンテンツデータを獲得する。もし、見つからなければ、第１の実施形態と同様にコンテンツサーバ４からコンテンツデータを獲得する。
【０１４３】
第１の実施形態のステップＢ−４において、外部機器２は、コンテンツサーバ４からコンテンツデータを獲得していた。しかし、本実施形態のステップＨ−４では、最初に外部機器コンテンツ管理部２２のコンテンツデータ発見機能を使用して使用したいコンテンツデータを他の外部機器が保持していないか検索する。検索はコンテンツＩＤを指定して行う。もし、ここで、外部機器７が該当するコンテンツデータを保持していれば、外部機器７からコンテンツデータを獲得する。もし、見つからなければ、第１の実施形態と同様にコンテンツサーバ４からコンテンツデータを獲得する。
これらの検索方法は、ネットワークに接続されたＰＣ同士で行うＰ２Ｐ接続による方式と同一の方法で実現する。
【０１４４】
＜第６の実施形態から得られる効果＞
本実施形態に拠れば、コンテンツサーバ４の負荷分散を行うことができる。これは、他の携帯情報端末上または外部機器上に使用したいコンテンツデータがあれば、そのデータを優先的に獲得するためである。つまり、コンテンツサーバ４との通信なしで、コンテンツサーバを獲得できる。
【０１４５】
＜発明の効果＞
以上説明したように、本実施形態によれば、チケット（コンテンツの使用権）を獲得した携帯情報端末のみが外部機器を用いたコンテンツ再生を行えるので、著作権の保護を図ることができる。
また、外部機器の性能に合ったコンテンツデータを獲得することで、映像や音響などの面で優れた再生が可能になる。
【０１４６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１４７】
例えば、上述した本実施形態におけるシステムを構成する各装置における制御動作は、ハードウェア、または、ソフトウェア、あるいは、両者の複合構成を用いて実行することも可能である。
【０１４８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１４９】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１５０】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１５１】
また、本実施形態におけるシステムは、上記実施形態で説明した処理動作に従って時系列的に実行されるのみならず、処理を実行する装置の処理能力、あるいは、必要に応じて並列的にあるいは個別に実行するように構築することも可能である。
【図面の簡単な説明】
【０１５２】
【図１】本発明の第１の実施形態におけるシステムの構成を示す図である。
【図２】携帯情報端末の構成を示すブロック図である。
【図３】外部機器の構成を示すブロック図である。
【図４】第１の実施形態における携帯情報端末でのコンテンツ利用の動作を示すシーケンス図である。
【図５】第１の実施形態における外部機器でのコンテンツ利用の動作を示すシーケンス図である。
【図６】第２の実施形態におけるシステムの動作を示すシーケンス図である。
【図７】第３の実施形態におけるシステムの構成を示す図である。
【図８】第３の実施形態におけるシステムの動作を示すシーケンス図である。
【図９】第４の実施形態における外部機器の構成を示すブロック図である。
【図１０】第５の実施形態における携帯情報端末と外部機器との繋がりを示す図である。
【図１１】第６の実施形態におけるシステムの構成を示す図である。
【符号の説明】
【０１５３】
１    携帯情報端末
２    外部機器
３    チケットサーバ
４    コンテンツサーバ
【図１】
2008251007.tif 000003
【図２】
2008251007.tif 000004
【図３】
2008251007.tif 000005
【図４】
2008251007.tif 000006
【図５】
2008251007.tif 000007
【図６】
2008251007.tif 000008
【図７】
2008251007.tif 000009
【図８】
2008251007.tif 000010
【図９】
2008251007.tif 000011
【図１０】
2008251007.tif 000012
【図１１】
2008251007.tif 000013